(57)【特許請求の範囲】
【請求項１】
少なくとも１種類の充填物を包む固い包皮を有する食料製品（５）を、その製品の包皮となるベースの食料品（３）と、少なくとも１種類の充填用食品材料（４）とを基にして、これら包皮材料と充填材料が供給される押し出しダイス（６）を備える複合押し出し成形装置（１）の中で製造する方法であって、
押し出しダイスは、第１の区画の中を長手方向に少なくとも１つの充填材料移送用注入管（14）が貫通しており、その注入管の中を充填材料が通過し、この第１の区画は上記押し出しダイス（６）の第２の区画（Ｓ２）に通じており、この第２の区画が始まる部分は、最も短い（Ｌ１）注入管の出口の端部（22）によって規定されており、
押し出しダイスの第１の区画（Ｓ１）において、ベースの食料品（３）を冷却して固い包皮を形成するステップと、
押し出しダイスの第２の区画（Ｓ２）において、その押し出しダイスの第１の区画で形成された固い包皮の中に、その第１の区画を貫通する注入管（14、27、28、29）から出てくる充填材料を充填するステップと、
充填材料が中に詰まった包皮を外側に有する製品を上記押し出しダイスの出口（21）から回収するステップと、を含み、
第１の区画の出口端部において包皮が充填材料よりも固くなっているように第１の区画（Ｓ１）においてベースの食料品（３）を冷却して固い包皮を形成する、ことを特徴とする方法。
【請求項２】
上記包皮を、上記押し出しダイスの第１の区画において、典型的には水またはそれと同様の他の流体を循環させる冷却により形成する、ことを特徴とする請求項１に記載の方法。
【請求項３】
上記包皮材料として、ナチュラル・チーズ、新鮮なカード、溶けていない特製チーズを用いる、ことを特徴とする請求項２に記載の方法。
【請求項４】
上記包皮材料として、溶けたチーズ、溶融塩が添加された、または添加されていない溶けた特製チーズを用いる、ことを特徴とする請求項２に記載の方法。
【請求項５】
−充填材料と包皮材料を供給ホッパー（７、８）の中で約90℃の温度にて調製するステップと、
−上記供給ホッパー（７、８）と押し出しヘッド（11）の間の位置で、充填材料を約80℃に冷却し、包皮材料を約60℃に冷却するステップと、
−包皮材料が固化するよう、押し出しダイスの第１の区画を約50℃に冷却して包皮材料を押し出し成形するステップと、
−押し出しダイスの第２の区画（Ｓ２）を約30℃に冷却して、第１の区画で製造された包皮の中に詰め込まれる充填材料を押し出し成形するステップと、を含み、
上記押し出しダイスから出てくる製品の温度が約38℃になっている、
ことを特徴とする請求項２〜４のいずれか１項に記載の方法。
【請求項６】
ＴＥ：システムの供給ホッパーの中にある包皮材料の温度、
ＴＦｎ：対応する供給ホッパーの中にある充填材料ｎの温度、
ＴＦＩＬ１：押し出しダイスの長さＬ１に対応する部分の壁面の平均温度、
ＴＦＩＬｎ：押し出しダイスの長さＬｎ−Ｌ（ｎ−１）に対応する部分の壁面の平均温度、
ＴＰ１：注入管１の出口における製品の平均温度、
ＴＰｎ：注入管ｎの出口における製品の平均温度、
ＴＦＩＬＦＩＮ：押し出しダイスの長さＬ−Ｌｎに対応する部分の壁面の平均温度、
ＴＰＦＩＮ：押し出しダイスの出口における製品の平均温度、という定義において、
上記複合押し出し成形装置の内部における温度が、
ＴＥ＝ＴＦｎ＝ＴＦＩＬ１＝ＴＦＩＬｎ＝ＴＦＩＬＦＩＮ＝ＴＰ１＝ＴＰｎ
＝ＴＰＦＩＮ＝２〜10℃
となるようにされている、ことを特徴とする請求項３または４に記載の方法。
【請求項７】
上記複合押し出し成形装置の内部における温度が、
ＴＥ＝ＴＦｎ＝30〜80℃、
80℃＞ＴＦＩＬ１＞ＴＦＩＬｎ＞ＴＦＩＬＦＩＮ＝30℃、
ＴＰ１＝ＴＰｎ＝ＴＰＦＩＮ＝70〜35℃、
となるようにされている、ことを特徴とする請求項３または４に記載の方法。
【請求項８】
上記複合押し出し成形装置の内部における温度が、
ＴＥ＝ＴＦｎ＝90〜100℃、
80℃＞ＴＦＩＬ１＞ＴＦＩＬｎ＞ＴＦＩＬＦＩＮ＝30℃、
ＴＰ１＝ＴＰｎ＝ＴＰＦＩＮ＝85〜35℃、
となるようにされている、ことを特徴とする請求項３または４項に記載の方法。
【請求項９】
上記充填材料として、チーズ、肉、卵、魚肉、すり身、果物、野菜をベースにした複合製品を用いる、ことを特徴とする請求項１〜８のいずれか１項に記載の方法。
【請求項１０】
上記包皮材料が、60％、典型的には約30〜約50％に達する乾燥抽出物を含む、ことを特徴とする請求項１〜９のいずれか１項に記載の方法。
【請求項１１】
供給ホッパーを備える充填材料用の単純なポンプと、供給ホッパーを備える包皮材料用の単純なポンプという２台のポンプを用いて、押し出しヘッドに材料を供給する、ことを特徴とする請求項１〜10のいずれか１項に記載の方法。
【請求項１２】
ホッパーが押し出しヘッド（11）の方向を向いている材料移送用の上記ポンプを、複合押し出し成形システムに直接に接続する、ことを特徴とする請求項11に記載の方法。
【請求項１３】
熱交換器を備える中間閉鎖システムに上記ポンプを接続して、上記押し出しヘッドに入る直前の材料の温度を制御する、ことを特徴とする請求項11に記載の方法。
【請求項１４】
包皮を形成する材料の流れを加圧したり分配したりすることの調節に、その包皮材料が通過する通路に挿入した分散板を用いる、ことを特徴とする請求項１〜13のいずれか１項に記載の方法。
【請求項１５】
複合押し出し成形した複数の断片を、必要に応じてゼリー剤を用いて寄せ集め、次いでそれを熱処理して１つのブロックに再構成し、スライス可能な状態にする、ことを特徴とする請求項１〜13のいずれか１項に記載の方法。
【請求項１６】
上記押し出しダイスから出てきた製品をスライスし、次いで包装する操作を、連続的に、または別々に行なう、ことを特徴とする請求項１〜15のいずれか１項に記載の方法。
【請求項１７】
製品が上記押し出しダイスから出てくる速度が、約５〜約10メートル／分である、ことを特徴とする請求項１〜16のいずれか１項に記載の方法。
【請求項１８】
請求項１〜17のいずれか１項に記載の方法を実現するための複合押し出し成形装置であって、
−製品の包皮となる材料を供給する手段（７）と、
−製品の充填物となる材料を供給する手段（８）と、
−押し出しダイス（６）へと続く、押し出しヘッド（11）の押し出し室（12）と、
−包皮材料を上記押し出し室に移動させるための第１の移動手段（９）と、
−充填材料を、充填材料と包皮材料が混合しないようにして上記押し出し室に移動させるための第２の移動手段（10）と、を備え、
−押し出しダイス（６）は細長くて、第１の区画と、第２の区画とを備えていて、
−第１の区画の内部では、固い包皮を形成する操作が実施され、この第１の区画は少なくとも１つの注入管（14）が貫通しており、この第１の区画の末端部は、最も短い（Ｌ１）注入管（29）の出口の端部（22）によって規定されていて、それぞれの注入管は上記押し出しヘッドから出てくる充填材料を移動させ、上記押し出しヘッドから出てくる包皮材料は、上記押し出しダイスの内側壁面（23）と注入管の外側壁面（24）の間を移動し、第１の区画の下流端部において充填材料よりも固い包皮が形成されるようにされており、
−第２の区画は、注入管の出口から上記押し出しダイスの出口までの区画であり、この第２の区画の内部では、上記注入管から出てくる充填材料を充填材料よりも固い包皮の中に充填する操作が実施されることを特徴とする装置。
【請求項１９】
上記注入管は、互いに同心で、最も外側にある注入管が最も短くなっているか、あるいは、互いに同心になっていない、ことを特徴とする請求項18に記載の装置。
【請求項２０】
最も短い注入管の長さ（Ｌ１）は、包皮が固化するために少なくとも10cm、典型的には30〜150cmとされ、上記押し出しダイスの長さ（Ｌ）と最も長い注入管の長さ（Ｌｎ）の差は、少なくとも10cm、典型的には30〜600cmである、ことを特徴とする請求項18または19に記載の装置。
【請求項２１】
上記第１の移動手段の位置にある温度調節手段と、上記第２の移動手段の位置にある温度調節手段と、上記押し出しダイスの第１の区画の温度調節手段と、上記押し出しダイスの第２の区画の温度調節手段とを備える、ことを特徴とする請求項18〜20のいずれか１項に記載の装置。
【請求項２２】
上記押し出しダイスの断面が、丸い形、四角い形、または遊戯的な形である、ことを特徴とする請求項18〜21のいずれか１項に記載の装置。
【請求項２３】
上記押し出しダイスと上記注入管は、断面が同じ形状であるか、または異なった形状である、ことを特徴とする請求項18〜22のいずれか１項に記載の装置。
【請求項２４】
上記押し出しダイスの断面の直径が、５〜50mm、好ましくは７〜20mmであることを特徴とする請求項18〜23のいずれか１項に記載の装置。
【請求項２５】
上記押し出しダイスの断面が、注入管の断面の1.2〜５倍であることを特徴とする請求項18〜24のいずれか１項に記載の装置。
【請求項２６】
請求項１〜17のいずれか１項に記載の方法を実施することにより得られる、詰め物をした特製食料製品であって、この製品は、長手方向に延びた固い包皮を備えており、その包皮が少なくとも１つの充填物を包んでおり、この製品の断面の大きさは20mm未満、典型的には10〜20mmであって、
上記包皮が乾燥抽出物を40〜60％含んでいて、製品を掴んでもべたつかない、ことを特徴とする詰め物をした食料製品。
【請求項２７】
上記断面が、四角い形、丸い形、または遊戯的な形である、ことを特徴とする請求項26に記載の製品。
【請求項２８】
上記製品をスライスした後の長さが、断面の幅の１〜10倍である、ことを特徴とする請求項26または27に記載の製品。
【請求項２９】
上記充填物が、チーズ素材または非チーズ素材であり、
非チーズ素材は、ペースト状の豚肉製品、魚肉または海産物をベースとしたペースト、果物、香草、野菜、スパイス、香料を含むグループの中から選択される、ことを特徴とする請求項26〜28のいずれか１項に記載の製品。
【請求項３０】
上記製品が、互いに同心になった少なくとも３つの層を含んでおり、外側の包皮がチーズ素材であることを特徴とする請求項26〜29のいずれか１項に記載の製品。
【請求項３１】
スライス可能なように、請求項26〜30のいずれか１項に記載の複数の製品を寄せ集めて再構成した１つのブロックの形態であり、この再構成された製品が、充填物が詰まった複数の層を含んでいることを特徴とする食料製品。
【発明の詳細な説明】
【０００１】
【発明の属する技術分野】
本発明は、詰め物をしたタイプの特製食料製品と、そのような製品を作る方法と、その方法を実現する装置に関する。
【０００２】
【従来の技術】
食料品を複合押し出し成形する方法や、アイディアとしては複合押し出し成形に近い、食料品または食料品でないものの単独押し出し成形システムがすでに知られている。
例えば、特にケーキの製造に用いられていて当業者に「レオン」という名称で知られるシステムがある。このシステムは、フィン付きの２台のポンプが組み込まれた装置を備えており、そのポンプに付属するホッパーは、標準的な押し出しヘッドの位置に接続されている。製品の包皮は、非常に短い押し出しダイス（２〜３cm）の中で充填物と同時に形成される。装置は、熱過ぎる原料、典型的には温度が60℃を超える原料に耐えることが難しいので、加熱は不可能である。このようなシステムは、機械部品が少なくとも30個はあるために、組み立てや分解が複雑であり、したがってチーズを使う場合には清掃が非常に難しい。このようなシステムは、特に、大きなサイズのもの、例えば詰め物をされた球形のもの、詰め物をされたプチパン、直径の大きな棒状のもの（直径が20mm以上）、またはニョッキのようなものを複合押し出し成形するのに使われる。
【０００３】
特にチーズを用いる場合、直径が10〜15mmまたはそれ以下の棒状チーズといった小さなものは、装置に大きな変更を施すことなしに製造することはできない。装置が高価で容量の小さいことが、棒状のものや詰め物をしたチーズなどの小さなものを経済的に生産する上でのマイナス要素である。
【０００４】
上記の方法に似た別の方法も知られている。それは一般に「ＶＥＭＡＧ」と呼ばれているが、単一の統合型装置になっていない点が異なっている。この装置の場合、２台の充填機が押し出しヘッドに接続されている。押し出しヘッドはやはり非常に短く、製品をほどほどの価格で生産するために、押し出しヘッドの直径は一般に20mmを超える値にとどまっている。
いずれにせよ、棒状の食品、特に詰め物をしたチーズなどの小さな製品を製造するには、システムの価格がネックとなろう。
【０００５】
注入によって詰め物をする方法も知られている。実際、複合押し出し成形された製品に似た製品が存在している。例えばそれは、注入針を用いて焼成後に詰め物をしたブリオッシュ・タイプの製品である。一般にこのシステムは、チーズには応用することができない。
【０００６】
複合押し出し成形された製品に似せた詰め物製品も知られている。例えば、厚さが２〜３mmで幅が10cmの帯状のものを巻いた製品がそうだが、その帯状のものを巻く前に中心部に充填物を置くことで、そのような製品を得るのである。これは例えばチョコレート入りパンなどの製品の場合である。このような方法は、製造条件によってはチーズにも応用できるだろう。その条件とは、特に、チーズ生地の粘着性や溶融性である。製品の外観は、後で説明する、詰め物をした特製チーズ製品とは非常に異なっている。
【０００７】
複合充填システム、または充填機を有するその他のシステムが知られている。こうしたシステムを用いると、ソーセージの複合充填が可能になる。得られる結果は、例えば中心部にチーズの入ったソーセージの形になる。
このシステムは、後で説明する、乾燥抽出物の割合が大きいチーズに応用するのは難しい。
【０００８】
【発明が解決しようとする課題】
本発明は、従来技術の欠点を補って、特別な食品、特に小さなものが詰め物として入れられたチーズ製品を得ることを目的としている。なお小さなものとは、典型的には直径が20mm未満で、特に10〜15mmのものを指す。
本発明はまた、乾燥抽出物の割合が多くて50〜60％にも達するチーズ生地を用いたこのような製品を得ることも目的としている。従来の複合押し出し成形システムだと、押し出しダイスの中における剪断力が大き過ぎて、見た目のよい製品が得られない。
本発明はまた、可能性のあるいろいろな製造方法を用いて所望の製品を製造することも目的としている。
【０００９】
【課題を解決するための手段】
本発明の第１の側面によれば、本発明は、少なくとも１種類の充填物を包む固い包皮を有する食料製品を、その製品の包皮となる、ベースとなる食料品と、少なくとも１種類の充填用食品材料とを基にして、これら包皮材料と充填材料が供給される押し出しダイスを備える複合押し出し成形装置の中で製造する方法に関し、使用する押し出しダイスは、第１の区画の中を長手方向に少なくとも１つの充填材料移送用注入管が貫通しており、その注入管の中を充填材料が通過し、この第１の区画は押し出しダイスの第２の区画に通じており、この第２の区画が始まる部分は、最も短い注入管の出口の端部によって規定されていて、その方法は、
−押し出しダイスの第１の区画において、熱の効果によって固化する包皮を形成するステップと、
−押し出しダイスの第２の区画において、その押し出しダイスの第１の区画で形成された固い包皮の中に、その第１の区画を貫通する注入管から出てくる充填材料を充填するステップと、
−充填材料が中に詰まった包皮を外側に有する製品を押し出しダイスの出口から回収するステップとを含んでいる。
ベースとなる食料品は、典型的にはタンパク質であるが、多糖類でもよい。
【００１０】
本発明の第１の態様によれば、包皮は、押し出しダイスの第１の区画において、典型的には水またはそれと同様の他の流体を循環させる冷却によって形成される。
包皮材料に関する一態様によれば、ナチュラル・チーズ、新鮮なカード、溶けていない特製チーズを用いる。
別の態様によれば、包皮材料としては、溶けたチーズ、溶融塩を添加した、または、添加していない、溶けた特製チーズを用いる。
【００１１】
一つの態様によれば、本発明の方法は、
−充填材料と包皮材料を供給ホッパーの中で約90℃の温度にて調製するステップと、
−供給ホッパーと押し出しヘッドの間の位置で、充填材料を約80℃に冷却し、包皮材料を約60℃に冷却するステップと、
−包皮材料が固化するよう、押し出しダイスの第１の区画を約50℃に冷却して包皮材料を押し出し成形するステップと、
−押し出しダイスの第２の区画を約30℃に冷却して、第１の区画で製造された包皮の中に詰め込まれる充填材料を押し出し成形するステップとを含んでおり、
上記押し出しダイスから出てくる製品の温度は、約38℃になっている。
【００１２】
ここで、以下のように定義する。
ＴＥ：システムの供給ホッパーの中にある包皮材料の温度、
ＴＦｎ：対応する供給ホッパーの中にある充填材料ｎの温度、
ＴＦＩＬ１：押し出しダイスの長さＬ１に対応する部分の壁面の平均温度、
ＴＦＩＬｎ：押し出しダイスの長さＬｎ−Ｌ（ｎ−１）に対応する部分の壁面の平均温度、
ＴＰ１：注入管１の出口における製品の平均温度、
ＴＰｎ：注入管ｎの出口における製品の平均温度、
ＴＦＩＬＦＩＮ：押し出しダイスの長さＬ−Ｌｎに対応する部分の壁面の平均温度、
ＴＰＦＩＮ：押し出しダイスの出口における製品の平均温度。
【００１３】
本発明の一態様によれば、複合押し出し成形装置の内部の温度は、以下のようにされる。
ＴＥ＝ＴＦｎ＝ＴＦＩＬ１＝ＴＦＩＬｎ＝ＴＦＩＬＦＩＮ＝ＴＰ１＝ＴＰｎ＝ＴＰＦＩＮ＝２〜10℃。
【００１４】
別の態様によれば、いわゆる“熱間”プロセスでは、包皮と充填物が30〜80℃で導入され、複合押し出し成形装置の内部の温度は以下のようにされる。
ＴＥ＝ＴＦｎ＝30〜80℃、
80℃＞ＴＦＩＬ１＞ＴＦＩＬｎ＞ＴＦＩＬＦＩＮ＝30℃、
ＴＰ１＝ＴＰｎ＝ＴＰＦＩＮ＝70〜35℃。
【００１５】
別の態様によれば、いわゆる“高温”プロセスでは、包皮と充填物が90〜100℃で導入され、複合押し出し成形装置の内部の温度は以下のようにされる。
ＴＥ＝ＴＦｎ＝90〜100℃、
80℃＞ＴＦＩＬ１＞ＴＦＩＬｎ＞ＴＦＩＬＦＩＮ＝30℃、
ＴＰ１＝ＴＰｎ＝ＴＰＦＩＮ＝85〜35℃。
【００１６】
本発明の第２の態様によれば、包皮は、50℃を超える温度、典型的には80〜100℃の温度に加熱したことによる熱的凝固によって形成される。
この態様では、包皮の材料として、例えば肉、卵、魚肉、すり身をベースとした複合製品を用いる。
【００１７】
別の態様によれば、複合押し出し成形装置は以下のようにされる。
ＴＥ＝ＴＦｎ＝２〜50℃、
ＴＦＩＬ１＝ＴＦＩＬｎ＝ＴＦＩＬＦＩＮ＞80〜100℃、
ＴＰ１＝ＴＰｎ＝ＴＰＦＩＮ＝中心部で60〜80℃。
【００１８】
別の実施態様によれば、本発明の方法は、
−供給ホッパーにおいて、約90℃の温度ＴＦｎで充填材料を調製し、約７℃の温度ＴＥで包皮材料を調製するステップと、
−供給ホッパーと複合押し出し成形装置の押し出しヘッドの間の位置で、充填材料は約75℃の温度に、包皮材料は約４℃の温度に冷却するステップと、
−押し出しダイスの第１の区画を約45℃の温度ＴＦＩＬ１に再加熱して包皮材料を流動化するステップと、
−押し出しダイスの第２の区画を約25℃の温度ＴＦＩＬ１に冷却して充填材料を包皮材料の中に、約50℃の温度で入れるステップと、を含んでおり、
押し出しダイスから出てくる製品は、約28℃の温度ＴＰＦＩＮになっている。
【００１９】
一態様によれば、本発明の方法は、
−充填材料と包皮材料を約４℃の温度で調製するステップと、
−複合押し出し成形装置の押し出しヘッドまで、充填材料を約４℃という低い温度に維持し、それと同時に、供給ホッパーと複合押し出し成形装置の押し出しヘッドの間の位置で包皮材料を約50℃の温度に再加熱するステップと、
−押し出しダイスの第１の区画を約98℃の温度ＴＦＩＬ１に加熱して、熱的凝固により包皮材料を固化させるステップと、
−押し出しダイスの第２の区画を約50℃の温度に加熱して、充填材料を包皮材料の中に約50℃の温度ＴＰ１で入れるステップと、を含み、
製品は、押し出しダイスから約80℃の温度で出てくる。
【００２０】
実施態様の第１と第２のモードでは、典型的な充填材料として、チーズ、肉、卵、魚肉、すり身、果物、野菜をベースとした複合製品が用いられる。
ところで包皮材料は、その中に含まれる乾燥抽出物が60％に達していてもよい。なおその割合の典型的な値は、約30〜約50％である。
【００２１】
本発明の方法によれば、供給ホッパーを備える２台の単純なポンプを用いて押し出し装置の押し出しヘッドに材料を供給する。一方のポンプは充填材料用であり、もう一方のポンプは包皮材料用である。
本発明の一実施態様によれば、ホッパーが押し出しヘッドの方向を向いている材料移送用のポンプを、複合押し出し成形システムに直接に接続する。
別の実施態様によれば、熱交換器を備える中間閉鎖システムにポンプを接続して、押し出しヘッドに入る直前の材料の温度を制御する。
【００２２】
本発明の一態様によれば、包皮を形成する材料の流れを加圧したり分配したりすることの調節には、その包皮材料が通過する通路に挿入した分配板を用いる。本発明の一態様によれば、複合押し出し成形した複数の断片を、必要に応じてゼリー剤を用いて寄せ集め、次いでそれを熱処理して１つのブロックに再構成し、スライス可能な状態にする。
【００２３】
一般に、押し出しダイスから出てきた製品は、スライスし、次いで包装する。これら操作は、連続的に行なってもよいし、別々に行なってもよい。
製品が押し出しダイスから出てくる速度の典型的な値は、５〜10メートル／分である。
【００２４】
本発明の第２の側面は、上述の方法を実現する複合押し出し成形装置に関するものであり、
−製品の包皮となる材料を供給する手段と、
−製品の充填物となる材料を供給する手段と、
−押し出しダイスへと続く、押し出しヘッドの押し出し室と、
−包皮材料を押し出し室に移動させるための第１の移動手段と、
−充填材料を、充填材料と包皮材料が混合しないようにして押し出し室に移動させるための第２の移動手段と、を備え、
−押し出しダイスは細長くて、第１の区画と、第２の区画とを備えていて、
−第１の区画の内部では、固い包皮を形成する操作が実施され、この第１の区画は少なくとも１つの注入管が貫通しており、この第１の区画の末端部は、最も短い注入管の出口の端部によって規定されていて、それぞれの注入管は充填材料を移動させ、押し出しヘッドから出てくる包皮材料は、押し出しダイスの内側壁面と注入管の外側壁面の間を移動し、
−第２の区画は、注入管の出口から押し出しダイスの出口までの区画であり、この第２の区画の内部では、注入管から出てくる充填物を固い包皮で包む操作が実施される。
【００２５】
これら注入管は、互いに同心で最も外側にある注入管が最も短くなっている場合と、互いに同心になっていない場合とがある。
最も短い注入管の長さＬ１は、包皮が固化するためには少なくとも10cm必要であり、その長さの典型的な値は30〜150cmである。押し出しダイスの長さＬと最も長い注入管の長さＬｎの差は、少なくとも10cmであり、その差の典型的な値は30〜600cmである。
【００２６】
本発明の装置は、第１の移動手段の位置にある温度調節手段と、第２の移動手段の位置にある温度調節手段と、押し出しダイスの第１の区画の温度調節手段と、押し出しダイスの第２の区画の温度調節手段とを備えている。
押し出しダイスの典型的な断面は、丸い形、四角い形、または遊戯的な形である。
押し出しダイスと注入管は、断面が同じ形状である場合と、異なった形状になっている場合とがある。押し出しダイスは、断面の直径が５〜50mmであるが、その値は７〜20mmであることが好ましい。押し出しダイスの断面は、典型的には注入管の断面の1.2〜５倍である。
【００２７】
本発明の第３の側面は、上述の方法を実施することにより得られる、詰め物をしたタイプの特製食料製品に関する。この製品は、長手方向に延びた固い包皮を備えており、その包皮が、少なくとも１つの充填物を包んでいる。この製品の断面の大きさは20mm未満であり、その典型的な値は10〜20mmである。
断面は、四角い形、丸い形、または遊戯的な形である。
製品をスライスした後の長さの典型的な値は、断面の幅の１〜10倍である。
【００２８】
充填物は、チーズ素材または非チーズ素材からなる。非チーズ素材としては、ペースト状の豚肉製品、魚肉または海産物をベースとしたペースト、果物、香草、野菜、スパイス、香料を含むグループの中から選択する。
【００２９】
本発明の一態様によれば、製品は互いに同心になった少なくとも３つの層を含んでおり、外側の包皮はチーズ素材である。
本発明によれば、製品は、チーズ素材からなる細長く延びた固い包皮を備えており、その包皮が、少なくとも１つの充填物を包んでいる。製品の断面の大きさは20mm未満であり、その典型的な値は10〜20mmである。包皮は乾燥抽出物を40〜60％含んでいるため、製品を掴んだときにべたつかない。
【００３０】
一態様によれば、本発明の食料製品は、上述したような複数の製品を寄せ集めて再構成した１つのブロックの形態にして、スライスが可能なようにしてある。この再構成した製品は、充填物が詰まった複数の層を含んでいる。
【００３１】
【発明の実施の形態】
本発明のさらに別の目的ならびに利点は、添付の図面を参照した以下の説明の中で明らかになろう。
本発明の第１の実施の形態を説明する。
製品の製造には、複合押し出し成形装置１を用いる。この装置の押し出しダイス６の中で包皮材料３と充填材料４を複合押し出し成形することにより、複合押し出し成形された製品５を製造することができる。
【００３２】
包皮材料３は、供給ホッパー７に入れる。この供給ホッパー７の容量の典型的な値は約50リットルである。充填材料４は、ほぼ同じ容量の供給ホッパー８に入れる。
包皮材料は、タンパク質性のチーズをベースにしたタイプの材料である。
【００３３】
供給ホッパー７と８は、出口の位置に、配合量決定手段と、包皮材料および充填材料の温度調節手段とを備えている。供給ホッパー７と８は、それぞれ、供給容器７ａ、８ａに通じている。
包皮材料３は、供給容器７ａの出口にある第１の移送手段９によって押し出しヘッド11へと運ばれる。同様にして、充填材料４は、第２の移送手段10によって押し出しヘッド11へと運ばれる。第１の移送手段９と第２の移送手段10は、食料品用のパイプである。これらパイプの中の流量は、１時間あたり約50〜100kgである。
【００３４】
複合押し出し成形装置の押し出しヘッド11は、押し出し室12を備えている。
包皮材料の移送手段９は、入口領域12ａを介して押し出し室12に通じている。
充填材料の移送手段10は、入口13の位置で押し出しヘッドに通じている。
移送手段10の端部13ａは、気密が保たれるようにして注入管14の端部13ｂに通じている。
【００３５】
この注入管14は、
押し出しヘッド11の押し出し室12の中に位置する第１の部分15と、
押し出しヘッド11の外、したがって押し出しダイス６の中に位置する第２の部分16とを備えている。
注入管14は、押し出しヘッド11の中にある支持手段17によって支持されている。
【００３６】
複合押し出し成形装置１は、供給ホッパー７と押し出しヘッド11の間の位置で、移送手段９であるパイプの一部に、包皮材料の温度調節手段18を備えている。
複合押し出し成形装置１はまた、供給ホッパー８と押し出しヘッド11の間の位置に、充填材料の温度調節手段19を備えている。
【００３７】
以下、押し出しダイス６と、複合押し出し成形による製品５の製造とについて、さらに詳しく説明する。
押し出しダイス６は、押し出しヘッド11の出口に位置する第１の端部20と、複合押し出し成形された製品が出てくる第２の端部21とを有する。
【００３８】
押し出しダイス６は、順番に、長さがＬ１である第１の区画Ｓ１と、長さがＬ２である第２の区画Ｓ２とを備えている。長さＬ１は、押し出しダイス６の端部20が含まれる平面Ｐから測った距離である。
この長さＬ１は、押し出しダイス６の全長のうち、注入管14が含まれている部分の長さである。この長さＬ１の全長にわたって、充填材料４が、注入管14の端部22まで詰まっている。
【００３９】
包皮材料は、押し出しダイス６の中でも押し出しダイス６の内側壁面23と注入管14の外側壁面24の間に挟まれた空間を通過する。
熱手段25が、第１の区画Ｓ１を通過する包皮材料と充填材料の温度を変える目的で設けられている。この熱手段25は、例えば、二重エンベロープ、電気的抵抗器、油浴、またはその他の流体の浴である。
かさばるというのが特に大きな理由だが、熱手段25は押し出しダイス６が始まる部分から長さＬ'３にわたっては設置しないようにすることができる。
【００４０】
長さＬ１の間に、製品の包皮が固化によって形成される。それについて以下に詳しく説明する。
熱手段25から供給される温度はＴ１であり、この熱手段の出口の温度はＴ'１である。
【００４１】
押し出しダイス６は、第１の区画Ｓ１に続く位置に、長さがＬ２の第２の区画Ｓ２を有する。この第２の区画Ｓ２にはもはや注入管14が含まれていない。この第２の区画Ｓ２は、第１の熱手段25と同様の熱手段26を備えている。
一実施例によれば、Ｌ１＝150cm、Ｌ＝400cmである。別の実施例によれば、Ｌ１＝30cm、Ｌ＝250cmである。
【００４２】
熱手段26から供給される温度はＴ２であり、この熱手段26の出口の温度はＴ'２である。第２の区画Ｌ２は、熱手段25と熱手段26の間の位置に区画Ｓ"３を備えている。第１の区画Ｓ１は、複合押し出し成形装置の押し出しヘッド11と熱手段25の間の位置に区画Ｓ'３を備えている。
【００４３】
表１は、本発明による熱間押し出し成形の１つの態様と、冷間押し出し成形の２つの態様における、異なる領域における温度を示すものであり、以下の温度が示されている。
−供給ホッパー８の中にある充填物の温度ＴＦ、温度調節手段19の入口の温度Ｔ３と出口の温度Ｔ'３、この領域を出て注入管14に到着する材料の温度ｔ３、−供給ホッパー７の中にある包皮材料の温度ＴＥ、温度調節手段18の入口の温度Ｔ４と出口の温度Ｔ'４、温度調節手段18を出て押し出し室12に到着する包皮材料の温度ｔ４と、
−第１の熱手段25の入口の温度Ｔ１と出口の温度Ｔ'１、注入管14から出てきたばかりの製品の平均温度ＴＰ１と、
−第２の熱手段26の入口の温度Ｔ２と出口の温度Ｔ'２、区画Ｌ２の中にある製品の温度ＴＰ２である。
【００４４】
包皮材料と充填材料は、移動して複合押し出し成形システムの中に吸引されるようになっている必要がある。したがってこれら材料は、粘性流体の形態で供給ホッパーに入れるとよい。粘性率は、複合押し出し成形装置を詰まらせることのないような小さな値、例えば50,000〜100,000センチポアズのオーダーにする必要があるが、場合によっては1,000,000センチポアズも可能である。すると吸引力は、20〜50バールに達する可能性がある。
【００４５】
実施の態様の第１のモードによれば、複合押し出し成形システムは熱間複合押し出し成形システムである。実施の態様の第２のモードによる複合押し出し成形プロセスは冷間複合押し出し成形プロセスである。
包皮材料に関して述べるならば、溶けた特製チーズと溶けたチーズならびに溶けていない特製チーズとナチュラル・チーズには、熱間複合押し出し成形が特に適している。
【００４６】
包皮材料は、最初は温度ＴＥが約90℃である。この材料は、移送手段９の位置で冷却され、次に、押し出しダイスの出口で冷却され、第１の区画Ｓ１で冷却され、第２の区画Ｓ２で冷却される。
したがって包皮材料は、熱によって凝固する物質ではなく、むしろ熱によって流動化する物質である。
【００４７】
冷間複合押し出し成形は、例えば肉、豚肉加工品、魚肉、すり身をベースとした複合食品材料に特に適している。
供給ホッパー７の位置にある冷たい包皮材料は、移送手段９の中では冷たいままに維持され、次に、押し出しダイスの区画Ｌ１で加熱される。
この材料は、肉、卵、チーズのホエー、魚肉、すり身など、大半が加熱によって凝固する材料である。
【００４８】
複合押し出し成形を熱間で行なうにせよ冷間で行なうにせよ、包皮と充填物の形成は連続的になされるが、時間差がある。つまり、包皮が区画Ｓ１で形成され、次いで充填物が区画Ｓ２で形成される。
注入管14は、例えば直径ｄが12mmであり、押し出しダイス６は直径Ｄが18mmである。
【００４９】
複合押し出し成形を熱間で行なうにせよ冷間で行なうにせよ、製品５の成分として、特に最終製品の五感による認知、加工しやすさ、保存、外観をよくするために、副次的な他の成分や添加物を利用することができる。
これら副次的成分としては、食品用の親水コロイド（デンプン、変性デンプン、ゼラチン、ガム、カラギーナンなど）、植物性または動物性のタンパク質（小麦や大豆などのタンパク質、卵やホエーなどのタンパク質）、保存料（ソルビン酸、ソルビン酸塩、ナイシン、亜硝酸塩など）、香料やスパイス、動物性または植物性の脂肪（バター、クリーム、ＭＧＬＡ、ナタネ油、ヒマワリ油、カカオバターなど）、さまざまな塩（精製塩、ポリリン酸塩、塩化カルシウムなど）、着色剤（コチニールの赤色、アナート、パプリカなど）、甘味料（ミルクのジャム、果物ジャム、果物の砂糖漬け、ドライフルーツ、マロン・クリーム、チョコレート、カラメル、ヌガー、乾燥させたシリアル、砂糖をまぶしたシリアルなど）、果物または野菜の抽出物、乾燥させた種子などが可能である。
【００５０】
押し出しダイス６と注入管14のシステム構成は、多様に変形することが可能である。
本発明の実施態様の１例によれば、複合押し出し成形装置は押し出しダイス６を１つ備えており、その中に同時に複数の注入管14が含まれている（図２）。
この複合押し出し成形システムは、
−中心にあって長さがＬ３の注入管27と、
−注入管27を取り囲んでおり、長さがＬ３よりも短いＬ２である注入管28と、
−注入管27と28を取り囲んでおり、長さがＬ２よりも短いＬ１である注入管29とを備えている。
なお、中心にある注入管27は、この注入管27の固定・センタリング装置35を備えており、注入管28は、この注入管28の固定・センタリング装置36を備えており、注入管29はこの注入管29の固定・センタリング装置37を備えている。注入管29はこれら３つの注入管のうちで最も短く、その端部29ｂが第１の区画Ｓ１の端部を規定している。
【００５１】
熱手段30が、（長さＬ１にほぼ等しい）長さＬ'１にわたって温度Ｔ１を供給し、熱手段31が、（長さＬ２−Ｌ１にほぼ等しい）長さＬ'２にわたって温度Ｔ２を供給し、熱手段33が、（長さＬ３−Ｌ２にほぼ等しい）長さＬ'３にわたって温度Ｔ３を供給し、熱手段34が、長さＬ'４にわたって温度Ｔ４を供給している。
【００５２】
注入管の壁面の厚さは、例えば約1.5mmである。押し出しダイスの全長はＬである。一つの実施の形態によれば、Ｌ１＝30cm、Ｌ２＝Ｌ３＝40cm、Ｌ＝140cmである。別の実施の形態によれば、Ｌ１＝100cm、Ｌ２＝Ｌ３＝110cm、Ｌ＝310cmである。注入管の直径は、例えば区画Ｌ１、Ｌ２、Ｌ３について、ｄ１＝17mm、ｄ２＝12mm、ｄ３＝６mmである。
注入管27、28、29は互いに同心で、それぞれ第１の充填物27ａ、第２の充填物28ａ、第３の充填物29ａを内部に含んでおり、充填物29ａが一番外側に位置する。
この複合押し出し成形システムは、以上のものに加えて、センタリング装置35、36、37に分配板が取りつけられていてもよい。
【００５３】
得られる製品は、断面が図６（ｆ）に示した形状になる。
注入管を１つ備える場合と注入管を３つ備える場合について上に説明した態様からわかるように、このような複合押し出し成形システムを用いているおかげで、極めて多彩な形状を有する最終製品を得ることができる。
【００５４】
主な制約は、機械部品が例えば金属でできている場合、その部品を加工する際の制約である。しかし、加工または溶接がより容易な複合材料、例えばポリマーやプラスチック樹脂からなる部品を用いて、注入管または複合押し出し成形装置の押し出しヘッドの本体要素（例えば分配板）を形成することができる。
【００５５】
一般に、押し出しダイスと注入管は、長手方向に沿って同じ形状になっているが、その形状が変化するような設計にした態様もいくつか可能である。例えば、押し出しダイスまたは注入管の下流を上流よりも広くする。この構成にすることで、注入管または押し出しダイスの出口の孔における複合押し出し成形の効果を増大させることができる。押し出しダイスまたは注入管の内径をこのように小さくすることで、移動する食品の塊の圧力が増大し、したがって孔の出口での物質の流れがしばしば加速される。
【００５６】
各注入管27、28、29に対応する固定・センタリング装置35、36、37は、金属製トグル継ぎ手にとりつける。そうすることにより、注入管を中心に合わせたり、中心からはずしたりすることが可能になり、したがって独特の形状、特に遊戯的な形状を得ることができるようになる。分配板はトグル継ぎ手の位置にあり、レベル（ｎ＋１）の包皮材料と充填材料の流れを調節する。中心にある注入管の中を流れる材料は、このような分配板を通過することはない。
【００５７】
図３は、使用する注入管に応じて極めて多彩な形状の製品が得られることを示している。
図３（ａ）〜図３（ｏ）は、複合押し出し成形された製品の一般的な形状の例の概略図であり、（ａ）は円形、（ｂ）は正方形、（ｃ）は三角形、（ｄ）はハート形、（ｅ）は菱形、（ｆ）は長方形、（ｇ）は楕円形、（ｈ）は丸まった三角形、（ｉ）は八角形、（ｊ）は絞られた形、（ｋ）はひょうたん形、（ｌ）は台形、（ｍ）はトンネルの断面形、（ｎ）は樹木の形、（ｏ）は花の形を示している。
【００５８】
図４（ａ）〜図４（ｆ）は、複合押し出し成形されて外側に包皮と内側に充填物を有するようになった製品の形状のいくつかを例示し、例えば、図４（ｃ）は押し出しダイスの断面が正方形で、その内部の注入管の断面が円形の場合のものである。
【００５９】
図５（ａ）〜図５（ｃ）は、互いに同心になっている、注入管／押し出しダイスの比を変えた場合に得られる製品を示すものであり、押し出しダイスの直径に対する注入管の直径の比は、図５（ａ）の場合が明らかに大きい。
【００６０】
図６（ａ）〜図６（ｇ）は、１つの押し出しダイスに同時に複数の注入管が入っている場合に得られる製品を示し、充填物は図６（ａ）〜図６（ｄ）では、互いに離れているが、図６（ｅ）では融合している。遊戯的に作られた顔の形が図６（ｄ）に示されている。
【００６１】
図７（ａ）、図７（ｂ）は、中心がずれた注入管を用いて得られた製品の例を示し、図７（ｃ）は、中心がずれた注入管を用いて得られた日食のようになった製品を示している。
【００６２】
製品は、押し出しダイスから出ると、さまざまな長さにスライスされると同時に、それ以外の機械的処理もなされ、極めて多彩な形状の製品となる。例えば、図８（ａ）は、一口分に切った状態を表わしており、図８（ｂ）と図９は、薪の形をした製品を表わしている。図８（ｃ）と図８（ｄ）は、両端をつまんで閉じた製品を表わしており、図８（ｅ）は、球形の製品を表わしている。
【００６３】
上述の方法のおかげで、小さな製品、特に直径が20mm未満の製品を、上に示したどの形状にすることもできる。また、この方法を用いると、大きな直径の製品、例えば50〜100mmの製品を製造することもできる。製品の大きさは、押し出しダイスと注入管の大きさによって決まる。
【００６４】
従来技術では、押し出しダイスの内部に長い注入管を用いていないため、直径が約20mm以下の製品を製造すると、複合押し出し成形システムの組み立て、分解が複雑になる。そのため製造コストが非常に高くなる。
【００６５】
以下に、包皮材料と充填材料の成分について詳しく説明する。
本発明の一つの実施態様によれば、複合押し出し成形された製品の成分は、EP A 260 194に記載された特製チーズの成分と同様である。
包皮材料は、乾燥成分を少なくとも50％含む熟成チーズＦ１をもとにして得られる。さらに詳細には、このチーズは中身が圧搾されたチーズで、加熱はされていてもいないくてもよいが、溶けたチーズは除外される。乾燥成分に対する脂肪分の割合は、例えば約25％以上である。このようなチーズはシネレシスを起こすことはない。よい結果をもたらすチーズは、特にオランダのチーズ（ゴーダ、エダム、ミモレット、レーダームール）か、または中身が圧搾されたチーズ（サン−ポーラン、エメンタール、コンテ、チェダー）である。
【００６６】
処理することになる、ベースとなるこのチーズＦ１には、特別なタンパク質、特にホエーを添加する。このタンパク質は、チーズが40℃〜80℃の温度になっているときに添加する。
ベースとなるチーズＦ１にタンパク質、特にホエーを（直接または間接に）添加して得られたチーズＦ２は、約80℃の温度にする前であれば機械加工可能であり、特に本発明の複合押し出し成形法を実施するための機械処理をあとで行なうことができる。
【００６７】
充填材料は、得たい最終食料製品が何であるかに応じて多くのものが考えられる。得たい最終食料製品としては、特にチーズをベースとした製品、豚肉加工品をベースとした製品、ケーキや糖菓をベースとした製品が考えられる。充填物は均一なものが可能であり、それはある程度固くても柔らかくてもよく、場合によってはある程度液体状になっていてもよい。充填物は不均一なものでもよく、特に果物、海産物、野菜、ハム、キノコ、チーズなどの断片が入っていてもかまわない。
【００６８】
例えば包皮に用いるチーズは、乾燥抽出物が59％で乾燥脂肪分の割合が51.5％の若いゴーダ・チーズである。このチーズを小さな破片にする。このチーズにホエー・タンパク質を10重量％添加し、全体を撹拌し、加熱により８℃にして13分間経つと、均一な塊が形成される。この塊を複合押し出し成形装置１の第１の供給ホッパー７に入れる。充填物は、乾燥抽出物が44％で乾燥物に対する脂肪分の割合が70％の新鮮な高脂肪性クリームチーズからなる。この充填物を約73℃で複合押し出し成形装置の第２の供給ホッパー８に入れる。この装置の中を通過することで、詰め物を65重量％まで含む（図２の一般的な形状に対応する）製品が実現する。
【００６９】
以下に、完成させた製造法の実例をいくつか提示する。例１、２、３、５は、熱間複合押し出し成形システムにより得られ、実施例４と６は冷間複合押し出し成形システムにより得られた。
【００７０】
例１：チーズ（包皮）＋果物調製物（充填物）の複合押し出し成形
若いチェダー・チーズ、バター、水、デンプン、溶融塩、ゼラチン、カラギーナン、香料を90℃にてミキサーで撹拌し、乾燥抽出物が53％で乾燥抽出物に対する脂肪分の割合が53％である溶けたチーズからなる包皮を調製した。イチゴの粒が入ったジャム、水、デンプン、ゼラチン、ショ糖、果糖、香料を70℃にて撹拌することにより、果物入り充填物を調製した。充填物に含まれる水の含有量および水の機能は、溶けたチーズに含まれる水の含有量および水の機能と調和するように調節した。
【００７１】
例２：特製チーズ（包皮）＋ナチュラル・チーズ（充填物）＋果物のピュレ（充填物）の複合押し出し成形
今度は、エダム・チーズ、カード、ゼラチン（溶融塩は除く）を45℃にてミキサーで撹拌することにより包皮とした。第１の充填物は、乾燥抽出物が45％で乾燥抽出物に対する脂肪分の割合が72％の高脂肪性カードからなる。この充填物は、低温で撹拌して調製した。第２の充填物は、凍結した果肉に砂糖、デンプン、赤色着色料、香料、食品用の親水コロイドを添加して調製した。これら２種類の充填物に含まれる水の含有量および水の機能は、溶けたチーズに含まれる水の含有量および水の機能と調和するように調節した。
【００７２】
例３：ナチュラル・チーズ＋青野菜の調製物の複合押し出し成形
若いゴーダ・チーズのタイプのナチュラル・チーズを包皮とした。野菜からなる充填物は、新鮮な野菜のピュレにデンプン、植物繊維、塩、ジャガイモのデンプン、ソルビット、着色料、特別な香料を添加して調製した。充填物に含まれる水の含有量および水の機能は、ナチュラル・チーズに含まれる水の含有量および水の機能と調和するように調節した。
【００７３】
例４：すり身＋鮭のムースの複合押し出し成形
魚のすり身、魚の髄、甲殻類の抽出物、水、液体状の卵白、ジャガイモのデンプン、小麦のデンプン、油、香料をもとにして、カッター内で低温にて、すり身からなる包皮を調製した。充填物は、鮭の肉、白身魚の髄、油、ジャガイモのデンプン、フレッシュ・クリーム、液体状の卵白、塩、香料、着色料をもとにして、カッターで低温にて調製した鮭のムースである。
【００７４】
例５：パン生地＋溶けたチーズの複合押し出し成形
包皮は、パン屋のミキサーで調製した、シュー生地タイプのパン生地からなる。充填物は、実施例１で説明したような溶けたチーズであるが、今回は、その中に含まれる水の含有量および水の機能は、焼いた後のパン生地の水の含有量および水の機能と調和するように変更した。複合押し出し成形をしたものを240℃のオーブンに入れた。
【００７５】
例６：パン生地＋肉の調製物の複合押し出し成形
包皮は、伝統的な方法で調製したジェノワーズ・タイプのパン生地からなる。充填物は、伝統的な鴨のムース・タイプの豚肉調製物である。ただし、この充填物に含まれる水の含有量および水の機能は、焼いた後のジェノワーズに含まれる水の含有量および水の機能と調和するように変更した。
【００７６】
本発明の方法のおかげで、得られる製品は手で掴むことができる。従来の方法で得られた製品とは違って、押し出しダイスから出てくる製品は、“完成”構造となっている。ペースト状ではないためにべたべたすることはなく、小さな棒状製品のように小さなものでさえ、手で触ったときに気持ちがよい。
【００７７】
すでに、注入管を１つ利用した態様と、注入管を３つ利用した態様について説明した。以下に、複合押し出し成形システムの主要なパラメータ、中でも押し出しダイスと注入管の主要なパラメータを決めるときに用いるべき、いくつかの原則を提示する。
【００７８】
このシステムは、最も短い注入管の長さＬ１が従来のシステムとは少なくとも10cm違っている。Ｌ１とは、押し出しダイスの内部にあって互いに同心になっている複数の注入管のうちで最も外側にある注入管の長さである。
一般には、この長さＬ１はたいてい30〜150cmである。そのため、外側の包皮が最適に形成される。
【００７９】
もし、Ｌ２、Ｌ３、…、Ｌｎが多様な複合押し出し成形を行なう場合に追加する注入管の長さであるとするならば、Ｌ２、Ｌ３、…、またはＬｎはＬ１と等しくてもよい。
しかし、大抵は、Ｌ２＝Ｌ１×ｘcm、Ｌ３＝Ｌ２＋ｘcm、…、Ｌ（ｎ−１）＋ｘcmである。ここにｘは、０〜30cmである。
【００８０】
押し出しダイスの長さＬは、最も外側にある注入管の長さ（Ｌ１、Ｌ２、Ｌ３、…Ｌｎのどれかは場合による）よりも常に長い。差（Ｌ−Ｌｎ）は少なくとも10cmであるが、たいていは少なくとも30cm〜600cmである。この長さの間に大いに熱交換がなされるわけだが、複合押し出し成形されるさまざまな物を冷却または加熱するには、これだけの長さが必要とされる。
【００８１】
例えば、
（すでに説明した）注入管を１つ有する押し出しダイスの場合、
Ｌ１＝150cm、Ｌ＝400cm、または
Ｌ１＝30cm、Ｌ＝250cmであり、
（すでに説明した）充填物が３つある押し出しダイスの場合、
Ｌ１＝30cm、Ｌ２＝Ｌ３＝40cm、Ｌ＝140cm、または
Ｌ１＝100cm、Ｌ２＝Ｌ３＝110cm、Ｌ＝310cmであり、
充填物が２つある押し出しダイスの場合、
Ｌ１＝30cm、Ｌ２＝60cm、Ｌ＝４ｍ、または
Ｌ１＝10cm、Ｌ２＝20cm、Ｌ＝80cmである。
【００８２】
システムの温度に関しては、以下のように定義する。、
ＴＥ：システムの供給ホッパーの中にある包皮材料の温度、
ＴＦｎ：対応する供給ホッパーの中にある充填物ｎの温度、
ＴＦＩＬ１：押し出しダイスの長さＬ１に対応する部分の壁面の平均温度、
ＴＦＩＬｎ：押し出しダイスの長さＬｎ−Ｌ（ｎ−１）に対応する部分の壁面の平均温度、
ＴＰ１：注入管１の出口における製品の平均温度、
ＴＰｎ：注入管ｎの出口における製品の平均温度、
ＴＦＩＬＦＩＮ：押し出しダイスの長さＬ−Ｌｎに対応する部分の壁面の平均温度、
ＴＰＦＩＮ：押し出しダイスの出口における製品の平均温度である。
【００８３】
これら定義に基づくと、
−製品が熱により凝固するかどうか、
−製品が熱間プロセスによって製造されるか、それとも冷間プロセスによって製造されるかどうか、
−複合押し出し成形を含め、製造プロセス全体を通じて衛生を保つ必要性があるかどうかに応じて、
いくつかの温度プロフィールが可能である。
【００８４】
包皮材料として、チーズ、特製チーズ、溶けたチーズ、または溶けた特製チーズを用いる態様では、“すべて冷間”の冷却モードで作業することが可能である。しかしたいていは、いわゆる“熱間”プロセスや、場合によってはいわゆる“高温”プロセスのほうが優先されるであろう。
【００８５】
“すべて冷間”プロセスの場合、「レオン」または「ＶＥＭＡＧ」といった機械と違って、包皮が独立に形成されることにより、外側の包皮の肌理がより引き締まるとともに、より滑らか、より均一になる。
この場合、
ＴＥ＝ＴＦｎ＝ＴＦＩＬ１＝ＴＦＩＬｎ＝ＴＦＬＦＩＮ＝ＴＰ１＝ＴＰｎ
＝ＴＰＦＩＮ＝２〜10℃である。
冷却システムにより、このような温度を保証することができる。
【００８６】
“熱間”プロセスでは、包皮と充填物は、装置の中に30〜80℃で入れる。この温度により、食品混合物が最適の流動性を持つことを保証される。押し出しダイスに沿って温度調節領域が存在しているため、最終製品の固化が進展していくのを制御できる。
この場合、
ＴＥ＝ＴＦｎ＝30〜80℃、
80℃＞ＴＦＩＬ１＞ＴＦＩＬｎ＞ＴＦＩＬＦＩＮ＝30℃、
ＴＰ１＝ＴＰｎ＝ＴＰＦＩＮ＝70〜35℃である。
【００８７】
“高温”プロセスの場合、パラメータは、高度の衛生状態が保証されるような値にされる。一般に、包皮と充填物は、90〜100℃の温度である。例えば超高温で処理した溶けたチーズＵＨＴという究極のケースでは、供給ホッパーは、100℃を超える温度にすることができる。
この場合、
ＴＥ＝ＴＦｎ＝90〜100℃、
80℃＞ＴＦＩＬ１＞ＴＦＩＬｎ＞ＴＦＩＬＦＩＮ＝30℃、
ＴＰ１＝ＴＰｎ＝ＴＰＦＩＮ＝85〜35℃である。
【００８８】
すり身または肉調製物をベースとした包皮を用いる態様では、材料が熱凝固するシステムであるかどうかが重要な問題であり、したがって全材料を２〜50℃、好ましくは15℃未満という比較低い温度で供給するとよい。
したがって温度は、
ＴＥ＝ＴＦｎ＝２〜50℃、
ＴＦＩＬ１＝ＴＦＩＬｎ＝ＴＦＩＬＦＩＮ＞80〜100℃、
ＴＰ１＝ＴＰｎ＝ＴＰＦＩＮ＝中心部で60〜80℃である。
この最後のケースでは、二重エンベロープにしてその中を油またはグリコール・タイプの液体を循環させることによって100℃を超える温度に到達できる。
【００８９】
材料の温度差が大き過ぎる場合には、包皮材料または充填材料を、押し出しヘッドに到達する前に予備冷却または予備加熱する。この場合、温度は、押し出しダイスの中で固化プロセスが進行するのに都合の良い温度範囲にされる。
【００９０】
【発明の効果】
以上の説明から、極めて多様な製品が、典型的には大きな流量で連続的に得られることがわかる。従来技術では、小さな製品の場合に10メートル／分という流量に到達することは困難であった。それに加え、押し出しダイスの下流では、複合押し出し成形された製品がべとべとしておらず、容易にスライスにすることができる。例えば刃を有する回転システムを用いたり、糸やジェット水流や超音波による切断を行なったりすることができる。
【００９１】
【表１】
0003706806.tif 000002
【図面の簡単な説明】
【図１】充填物注入管を備える押し出しダイスを用いた本発明の複合押し出し成形装置の一態様を示す概略図である。
【図２】本発明の別の態様による複合押し出し成形装置の押し出しダイスの部分を拡大した概略図である。この押し出しダイスは、充填物注入管を３つ備えている。
【図３】本発明により得られる食料製品の一般的な断面のいくつかの例を非限定的に示し、（充填材料は図示せず）、
（ａ）は円形のもの、
（ｂ）は正方形のもの、
（ｃ）は三角形のもの、
（ｄ）はハート形のもの、
（ｅ）は菱形のもの、
（ｆ）は長方形のもの、
（ｇ）は楕円形のもの、
（ｈ）は丸まった三角形のもの、
（ｉ）は八角形のもの、
（ｊ）は絞られた形のもの、
（ｋ）はひょうたん形のもの、
（ｌ）は台形のもの、
（ｍ）はトンネルの断面形のもの、
（ｎ）は樹木の形のもの、
（ｏ）は花の形のもの、
を示している。
【図４】押し出しダイスと注入管の形を変えることによって得られる食料製品の断面のいくつかの例を非限定的に示し、注入管が１つの場合であって、内側のハッチングされているのは充填材料で、外側の無印の部分が包皮材料であって、
（ａ）は押し出しダイスが円形で、注入管が円形の場合、
（ｂ）は押し出しダイスが円形で、注入管が三角形の場合、
（ｃ）は押し出しダイスが正方形で、注入管が円形の場合、
（ｄ）は押し出しダイスが円形で、注入管が円形の場合、
（ｅ）は押し出しダイスがハート形で、注入管がハート形の場合、
（ｆ）は押し出しダイスが不定形で、注入管が不定形の場合、
を示している。
【図５】互いに同心になっている、注入管と押し出しダイスの比を変えた場合に得られる製品の断面の例を非限定的に示すものであり、
（ａ）は注入管／押し出しダイスの比が大きい場合を示し、
（ｂ）は注入管／押し出しダイスの比が中程度の場合を示し、
（ｃ）は注入管／押し出しダイスの比が小さい場合を示している。
【図６】複数の注入管を備えた押し出しダイスを使用して得られる食料製品の断面の例を非限定的に示し、
（ａ）は円形の押し出しダイス内に２つの円形の注入管を配した場合のものであり、
（ｂ）は円形の押し出しダイス内に２つの半円形の注入管を配した場合のものであり、
（ｃ）は円形の押し出しダイス内に４つの正方形の注入管を配した場合のものであり、
（ｄ）は円形の押し出しダイス内に３つの注入管を配し、顔の形にしたものであり、
（ｅ）はトンネル断面のダイス内に充填材料が融合するように４つの注入管を配した場合のものであり、
（ｆ）は円形の押し出しダイス内に、同心の３つの円形の注入管を配した場合のものであり、
（ｇ）は円形の押し出しダイス内に、同心の２つの円形の注入管を配した場合のものである。
【図７】押し出しダイスに同心になっていない充填物注入管を用いて得られる食料製品の断面の例を非限定的に示し、
（ａ）は全体が円形で内部が波形に区切られたものであり、
（ｂ）は全体が正方形で内部が波形に区切られたものであり、
（ｃ）は日食のように区切られたものである。
【図８】本発明により得られる食料製品の可能性を非限定に示し、
（ａ）は一口分に切った状態を示し、
（ｂ）は薪の形にした例を示し、
（ｃ）は両端を閉じてつまんだ例を示し、
（ｄ）は両端を閉じてつまんだ例を示し、
（ｅ）は球形にした例を示している。
【図９】薪の形にした食料製品を示す図である。
【図１】
0003706806.tif 000003
【図２】
0003706806.tif 000004
【図３】
0003706806.tif 000005
【図４】
0003706806.tif 000006
【図５】
0003706806.tif 000007
【図６】
0003706806.tif 000008
【図７】
0003706806.tif 000009
【図８】
0003706806.tif 000010
【図９】
0003706806.tif 000011